(57)【特許請求の範囲】
【請求項１】
絶縁性を有する材料により構成される複数の壁部を有し、
各前記壁部の一端側の端縁は、互いに一致して中央一致辺を構成し、前記複数の壁部の他端側は、それぞれ前記中央一致辺から放射状に延び、
各前記壁部は、複数の撚り線により構成され電柱から家屋へ電気を供給するための引込線の、前記撚り線が切断され再び接続された箇所の間に配置され、
一の前記壁部の中央一致辺から他端までの長さは、前記一の壁部に隣接する他の壁部と前記一の壁部との間に前記撚り線を配置した状態で、前記一の壁部が湾曲し前記他の壁部に当接して一の前記撚り線を覆うことができる程度の値を有し、
前記壁部は、自己融着テープにより構成され、自重で曲がる程度の可撓性を有する引込線線間絶縁パーティション。
【請求項２】
前記複数の壁部は、３つの壁部により構成される請求項１に記載の引込線線間絶縁パーティション。
【発明の詳細な説明】
【技術分野】
【０００１】
本発明は、電柱から家屋へ電気を供給するための、複数の撚り線により構成された引込線を補修する際に、複数の撚り線間に配置される引込線線間絶縁パーティションに関する。
【背景技術】
【０００２】
従来より、電柱から家屋へ電気を供給するために、複数の撚り線（例えば、３本の撚り線）により構成された引込線が用いられている。引込線は、劣化したり、物が衝突したりすることにより断線する。
【０００３】
引込線が断線した場合には、いわゆるスリーブ接続により絶縁処理がなされる。断線した引込線が３本の撚り線により構成される場合には、各撚り線について１箇所ずつ、計３箇所接続することになる。接続される３箇所は、互いに絶縁を確保するために、撚り線の延びる方向に互いに所定の間隔で配置される。
【０００４】
次に、３つのスリーブ接続による接続箇所それぞれに、テーピングによる絶縁処理が施される。更に、テーピングによる絶縁処理が施された３つの接続箇所の間の撚り線の部分同士を束ねるように、いわゆるばらけ止めのためのテーピングが計２箇所行われる。また、テーピングによる絶縁処理が施された３つの接続箇所のうちの両端の接続箇所の外側の撚り線の部分同士を束ねるように、いわゆるばらけ止めのためのテーピングが計２箇所行われる。即ち、ばらけ止めのためのテーピングが計４箇所行われる。以上の工程により、断線した引込線の補修が行われる。また、接続箇所を保護する構成として、筒状に屈曲した状態で接続箇所に装着されて用いられる電線用補強シートが知られている（例えば、特許文献１参照）。
【先行技術文献】
【特許文献】
【０００５】
【特許文献１】特開２００８−２５９３９３号公報
【発明の概要】
【発明が解決しようとする課題】
【０００６】
前述のように、スリーブ接続の後のテーピングによる絶縁処理をする際には、引込線は３本の撚り線により構成されているため、３本の撚り線間を広げて、この間にテーピングのためのビニールテープを通す必要がある。このため、テーピングに時間がかかり、効率よくテープを巻くことができない。
【０００７】
また、上述のような断線の補修は、手間のかかる作業であるため、補修する作業者の技術のレベルの違いにより、仕上がりにバラつきが生ずる。特に、前述のようにばらけ止めのためのテーピングにおいては、出来栄えに大きな差が生ずる。
【０００８】
本発明は、このような課題に鑑みてなされたものであり、断線した引込線の補修を短時間で行うことができ、補修の仕上がりのバラつきを少なくすることができ、補修の出来栄えをよくすることができる引込線線間絶縁パーティションを提供することを目的とする。
【課題を解決するための手段】
【０００９】
本発明者は、絶縁性を有する材料により構成される壁部を撚り線間に配置させることによりこの課題が解決可能なことを見出し、これに基づいて、以下のような新たな引込線線間絶縁パーティションを発明するに至った。
【００１０】
（１）  本発明による引込線線間絶縁パーティションは、絶縁性を有する材料により構成される複数の壁部を有し、各前記壁部の一端側の端縁は、互いに一致して中央一致辺を構成し、前記複数の壁部の他端側は、それぞれ前記中央一致辺から放射状に延び、各前記壁部は、複数の撚り線により構成され電柱から家屋へ電気を供給するための引込線の、前記撚り線が切断され再び接続された箇所の間に配置される。
【００１１】
（２）一の前記壁部の中央一致辺から他端までの長さは、前記一の壁部に隣接する他の壁部と前記一の壁部との間に前記撚り線を配置した状態で、前記一の壁部が湾曲し前記他の壁部に当接して一の前記撚り線を覆うことができる程度の値を有することが好ましい。
【００１２】
（３）前記壁部は、自己融着テープにより構成されることが好ましい。
【００１３】
（４）前記壁部は、シリコンゴムにより構成されることが好ましい。
【００１４】
（５）前記複数の壁部は、３つの壁部により構成されることが好ましい。
【発明の効果】
【００１５】
本発明によれば、断線した引込線の補修を短時間で行うことができ、補修の仕上がりのバラつきを少なくすることができ、補修の出来栄えをよくすることができる引込線線間絶縁パーティションを提供することができる。
【図面の簡単な説明】
【００１６】
【図１】本発明の第１実施形態による引込線線間絶縁パーティションを示す斜視図である。
【図２】本発明の第１実施形態による引込線線間絶縁パーティションが、引込線を構成する３本の撚り線間に配置されて、断線した引込線の補修が行われている様子を示す斜視図である。
【図３】本発明の第１実施形態による引込線線間絶縁パーティションが、テープによって巻回され、断線した引込線の補修が完了した様子を示す斜視図である。
【図４】本発明の第２実施形態による引込線線間絶縁パーティションが、引込線を構成する３本の撚り線間に配置された様子を示す図である。（ａ）は、壁部が平板状を有している状態を示す正面図である。（ｂ）は、壁部が曲がった状態を示す正面図である。
【発明を実施するための形態】
【００１７】
本発明の第１実施形態による引込線線間絶縁パーティションについて図１〜図３を参照して説明する。図１は、本発明の第１実施形態による引込線線間絶縁パーティション１を示す斜視図である。図２は、本発明の第１実施形態による引込線線間絶縁パーティション１が、引込線２を構成する３本の撚り線２１、２２、２３間に配置されて、断線した引込線２の補修が行われている様子を示す斜視図である。図３は、本発明の第１実施形態による引込線線間絶縁パーティション１が、テープ３１によって巻回され、断線した引込線２の補修が完了した様子を示す斜視図である。
【００１８】
図１に示すように、引込線線間絶縁パーティション１は、３つの壁部１１、１２、１３を備える。３つの壁部１１、１２、１３は、それぞれ一対の長辺と一対の短辺とを有する同一形状の長方形状の板状を有する。壁部の長辺の長さは１００ｍｍ程度であり、幅は、９ｍｍ〜１５ｍｍ程度であり、厚さは、１．５ｍｍ程度である。壁部１１、１２、１３は、絶縁性を有する材料により構成されている。具体的には、絶縁性を有する材料としては、例えば、シリコンゴムが用いられている。
【００１９】
３つの壁部１１、１２、１３の一端側の端縁としての一方の長辺１１１、１２１、１３１は、互いに一致して中央一致辺１０１を構成する。より具体的には、３つの壁部１１、１２、１３の一方の長辺の全体は、互いに一体に接続されている。３つの壁部１１、１２、１３の他端側である他方の長辺１１２、１２２、１３２の側は、それぞれ中央一致辺１０１から放射状に延びている。従って、引込線線間絶縁パーティション１を、壁部１１、１２、１３の長手方向から見た場合には、引込線線間絶縁パーティション１は、逆Ｙ字状を有するように見える。
【００２０】
次に、引込線線間絶縁パーティション１を用いて、断線した引込線２の補修をする工程について説明する。補修が行われる引込線２は、３本の撚り線２１、２２、２３が互いに撚られて構成されており、電柱から家屋へ電気を供給するためのものである。図２に示すように、撚り線２１は、絶縁被膜２１１により覆われた導線２１２により構成されている。撚り線２２、２３についても、撚り線２１と同様に、絶縁被膜により覆われた導線２２２、２３２（図４参照）により構成されている。
【００２１】
先ず、断線した引込線２を構成する３本の撚り線２１、２２、２３の撚りを解く。次に、断線した３本の撚り線２１、２２、２３の部分の絶縁被膜が剥かれ、露出した導線２１２、２２２、２３２の部分のそれぞれを、金属性のスリーブ２１３、２２３、２３３を用いてスリーブ接続する。次に、３本の撚り線２１、２２、２３が断線され、それが再び接続された箇所である、３本の撚り線２１、２２、２３のスリーブ接続した箇所同士の間に、引込線線間絶縁パーティション１の各壁部１１、１２、１３を配置させる。
【００２２】
具体的には、壁部１１と壁部１２との間にスリーブ２１３を配置し、壁部１２と壁部１３との間にスリーブ２２３（図４参照）を配置し、壁部１３と壁部１１との間にスリーブ２３３を配置する。これにより、３つのスリーブ２１３、２２３、２３３は、壁部１１、１２、１３によって互いに隔離される。
【００２３】
次に、図２に示すように、絶縁性の材料により構成されたテープ３１を、引込線線間絶縁パーティション１の壁部１１、１２、１３により互いに隔離されたスリーブ２１３、２２３、２３３に巻回してゆく。具体的にはテープ３１は、先ず、撚りを解かれた３本の撚り線２１、２２、２３を束ねるように、引込線線間絶縁パーティション１の一端側から３本の撚り線２１、２２、２３に巻回され始める。そして、テープ３１は、引込線線間絶縁パーティション１の他端に至るまで、引込線線間絶縁パーティション１の周方向に巻回される。最後にテープ３１は、引込線線間絶縁パーティション１の他端側の、撚りを解かれた３本の撚り線２１、２２、２３を束ねるように、３本の撚り線２１、２２、２３に巻回される。以上の工程を経て、図３に示すように、断線した引込線２の補修が完了する。
【００２４】
上述のような第１実施形態による引込線線間絶縁パーティション１から得ることができる効果は，以下のとおりである。
【００２５】
引込線線間絶縁パーティション１は、絶縁性を有する材料により構成される複数（３つ）の壁部１１、１２、１３を有する。そして、各壁部１１、１２、１３の一端側の端縁である一方の長辺１１１、１２１、１３１は、互いに一致して中央一致辺１０１を構成し、複数の壁部１１、１２、１３の他端側である他方の長辺１１２、１２２、１３２の側は、それぞれ中央一致辺１０１から放射状に延びる。この構成により、各壁部１１、１２、１３を、複数の撚り線２１、２２、２３により構成され電柱から家屋へ電気を供給するための引込線２の、撚り線２１、２２、２３が切断され再び接続された箇所の間に、配置することができる。
【００２６】
このことにより、引込線線間絶縁パーティション１によって確実に絶縁を確保することができる。特に、壁部１１、１２、１３を構成する絶縁性を有する材料として、シリコンゴムが用いられるため、確実に絶縁を行うことができる。このため、従来のように、接続される３箇所を、絶縁を確保するために、撚り線２１、２２、２３の延びる方向に互いに所定の間隔を空けて配置させずに済む。この結果、撚り線２１、２２、２３の延びる方向において、一致した１箇所で１度に接続することができ、この箇所でテープ３１により３本の撚り線２１、２２、２３を束ねることができる。このように束ねることにより、ばらけ止めの役割を果たすことができるため、従来のようなばらけ止めのためのテーピングを施す工程を省くことができ、容易に断線の補修を行うことができる。
【００２７】
この結果、補修する作業者の技術のレベルの違いにより、補修の仕上がりにバラつきが生ずることを極力抑えて、バラつきを少なくすることができ、補修の出来栄えをよくすることができる。また、断線した引込線２の補修を短時間で行うことができる。
【００２８】
また、複数の撚り線２１、２２、２３に均等に張力がかからずに、撚り線２１、２２、２３のうちのいずれか１本に強い張力がかかり、スリーブから当該一本の撚り線の接続箇所が抜けることが考えられる。このような場合であっても、壁部１１、１２、１３により他の撚り線２１、２２、２３との絶縁が確保されているため、撚り線２１、２２、２３同士が短絡することを確実に防止することができる。
【００２９】
次に、本発明の第２実施形態による引込線線間絶縁パーティション１Ａについて図４を参照して説明する。図４は、本発明の第２実施形態による引込線線間絶縁パーティション１Ａが、引込線２（図２等参照）を構成する３本の撚り線２１、２２、２３間に配置された様子を示す図であり、（ａ）は、壁部１１Ａ、１２Ａ、１３Ａが平板状を有している状態を示す正面図である。（ｂ）は、壁部１１Ａ、１２Ａ、１３Ａが曲がった状態を示す正面図である。
【００３０】
第２実施形態による引込線線間絶縁パーティション１Ａの壁部１１Ａ、１２Ａ、１３Ａは、自己融着テープにより構成されている点で、第１実施形態による引込線線間絶縁パーティション１とは異なる。また、長方形状の壁部１１Ａ、１２Ａ、１３Ａの短辺が、第１実施形態による引込線線間絶縁パーティション１の壁部１１、１２、１３の短辺よりも長い点で、第１実施形態による引込線線間絶縁パーティション１とは異なる。これらの点以外は、第１実施形態による引込線線間絶縁パーティション１と同様の構成であるため、説明を省略する。
【００３１】
引込線線間絶縁パーティション１Ａの壁部１１Ａ、１２Ａ、１３Ａは、自己融着テープにより構成されている。自己融着テープは、例えば、ポリエチレンにより構成されており、自重で曲がる程度の可撓性を有する。また、自己融着テープの外面の全面は、粘着性を有する。
【００３２】
また、図４（ａ）に示すように、引込線線間絶縁パーティション１Ａの壁部１１Ａ、１２Ａ、１３Ａの短辺の長さ、即ち、壁部１１Ａ、１２Ａ、１３Ａの中央一致辺１０１Ａから、他端としての他の長辺１１２Ａ、１２２Ａ、１３２Ａまでのそれぞれの長さは、第１実施形態による引込線線間絶縁パーティション１の壁部１１、１２、１３の中央一致辺１０１から他の長辺１１２、１２２、１３２までのそれぞれの長さよりも大きな値を有する。その値は、９ｍｍ〜１５ｍｍ程度である。
【００３３】
具体的には、壁部１１Ａの中央一致辺１０１Ａから他の長辺１１２Ａまでの長さは、図４（ｂ）に示すように、壁部１１Ａに隣接する他の壁部１３Ａと壁部１１Ａとの間に、撚り線２３（図２参照）の導線２３２及びスリーブ２３３を配置した状態で、壁部１１Ａが湾曲し他の壁部１３Ａに当接して、撚り線２３の導線２３２及びスリーブ２３３を覆うことができる程度の値を有する。
【００３４】
同様に、壁部１２Ａの中央一致辺１０１Ａから他の長辺１２２Ａまでの長さは、図４（ｂ）に示すように、壁部１２Ａに隣接する他の壁部１１Ａと、壁部１２Ａとの間に、撚り線２１の導線２１２及びスリーブ２１３を配置した状態で、壁部１２Ａが湾曲し他の壁部１１Ａに当接して、撚り線２１の導線２１２及びスリーブ２１３を覆うことができる程度の値を有する。
【００３５】
また、壁部１３Ａの中央一致辺１０１Ａから他の長辺１３２Ａまでの長さは、図４（ｂ）に示すように、壁部１３Ａに隣接する他の壁部１２Ａと壁部１３Ａとの間に、撚り線２２の導線２２２及びスリーブ２２３を配置した状態で、壁部１３Ａが湾曲し他の壁部１２Ａに当接して撚り線２２の導線２２２及びスリーブ２２３を覆うことができる程度の値を有する。
【００３６】
引込線線間絶縁パーティション１Ａを用いて、引込線２（図２参照）の補修をする工程については以下の通りである。図４（ａ）に示すように、３本の撚り線２１、２２、２３のスリーブ接続した箇所の間に、引込線線間絶縁パーティション１Ａの各壁部１１Ａ、１２Ａ、１３Ａを配置させる。すると、各壁部１１Ａ、１２Ａ、１３Ａは自重により、それぞれ隣接する壁部１３Ａ、１１Ａ、１２Ａの方向へ曲がり、隣接する壁部１３Ａ、１１Ａ、１２Ａにそれぞれ当接する。壁部１１Ａ、１２Ａ、１３Ａは、粘着性を有するため、隣接する壁部１３Ａ、１１Ａ、１２Ａにそれぞれ融着する。
【００３７】
このようにして、図４（ｂ）に示すように、壁部１１Ａと、壁部１１Ａに隣接する他の壁部１３Ａとの間に、スリーブ接続された撚り線２３（図２参照）の導線２３２及びスリーブ２３３を配置した状態で、壁部１１Ａが湾曲する。そして、壁部１１Ａは、他の壁部１３Ａに当接して撚り線２３の導線２３２及びスリーブ２３３を覆う。
【００３８】
同様に、壁部１２Ａと、壁部１２Ａに隣接する他の壁部１１Ａとの間に、スリーブ接続された撚り線２１の導線２１２及びスリーブ２１３を配置した状態で、壁部１２Ａが湾曲する。そして、壁部１２Ａは、他の壁部１１Ａに当接して撚り線２１の導線２１２及びスリーブ２１３を覆う。
【００３９】
また、壁部１３Ａと、壁部１３Ａに隣接する他の壁部１２Ａとの間に、スリーブ接続された撚り線２２の導線２２２及びスリーブ２２３を配置した状態で、壁部１３Ａが湾曲する。そして、壁部１３Ａは、他の壁部１２Ａに当接して撚り線２２の導線２２２及びスリーブ２２３を覆う。次にこのような状態とした後に、この上に、第１実施形態と同様に、テープ３１を引込線線間絶縁パーティション１Ａの周方向に巻回する。
【００４０】
上述のような第２実施形態による引込線線間絶縁パーティション１Ａから得ることができる効果は、第１の実施形態による引込線線間絶縁パーティション１から得ることができる効果に加えて、以下のとおりである。
【００４１】
前述のように、壁部１１Ａ、１２Ａ、１３Ａの中央一致辺１０１Ａから他端としての他の長辺１１２Ａ、１２２Ａ、１３２Ａまでの長さは、上述のように、壁部１１Ａ、１２Ａ、１３Ａにそれぞれ隣接する他の壁部１３Ａ、１１Ａ、１２Ａと、壁部１１Ａ、１２Ａ、１３Ａとの間に、撚り線２３、２１、２２をそれぞれ配置した状態で、壁部１１Ａ、１２Ａ、１３Ａが湾曲し壁部１３Ａ、１１Ａ、１２Ａに当接して、それぞれ撚り線２３、２１、２２を覆うことができる程度の値を有する。このため、絶縁性の材料により構成されたテープ３１に加えて、壁部１１Ａ、１２Ａ、１３Ａで３本の撚り線２３、２１、２２のスリーブ接続した箇所を覆うことができる。従って、絶縁性の材料により構成されたテープ３１と壁部１１Ａ、１２Ａ、１３Ａとにより、撚り線２１、２２、２３同士を確実に絶縁することができる。
【００４２】
また、壁部１１Ａ、１２Ａ、１３Ａは、自己融着テープにより構成されているため、壁部１１Ａ、１２Ａ、１３Ａが隣接する他の壁部１３Ａ、１１Ａ、１２Ａに融着することができる。このため、より確実に撚り線２３、２１、２２を覆うことができ、万が一、テープ３１が剥がれた場合であって、壁部１１Ａ、１２Ａ、１３Ａにより撚り線２１、２２、２３間の絶縁性を維持することができる。
【００４３】
本発明の実施形態は、上記実施形態に限定されることはなく、特許請求の範囲に記載された技術的範囲において変形が可能である。例えば、引込線線間絶縁パーティション１、１Ａは、それぞれ３つの壁部１１、１２、１３、壁部１１Ａ、１２Ａ、１３Ａを有していたが、３つに限定されない。引込線線間絶縁パーティションは、複数の壁部、より具体的には、引込線を構成する撚り線の本数分以上の数の壁部を有していればよい。また、引込線線間絶縁パーティションの寸法は、本実施形態に記載した寸法に限定されない。
【００４４】
また、第１実施形態では、引込線線間絶縁パーティション１の３つの壁部１１、１２、１３は、シリコンゴム等が用いられていたが、この材質に限定されない。同様に、第２実施形態では、引込線線間絶縁パーティション１Ａの壁部１１Ａ、１２Ａ、１３Ａは、ポリエチレンにより構成されていたが、この材質に限定されない。
【符号の説明】
【００４５】
１、１Ａ  引込線線間絶縁パーティション。
２  引込線
１１、１２、１３、１１Ａ、１２Ａ、１３Ａ  壁部
２１、２２、２３  撚り線
１０１、１０１Ａ  中央一致辺
１１２、１２２、１３２、１１２Ａ、１２２Ａ、１３２Ａ  他方の長辺（壁部の他端）
【要約】
【課題】断線した引込線の補修を短時間で行うことができ、補修の仕上がりのバラつきを少なくすることができ、補修の出来栄えをよくすることができる引込線線間絶縁パーティションを提供する。
【解決手段】引込線線間絶縁パーティション１は、複数の壁部１１、１２、１３を有する。複数の壁部１１、１２、１３は、絶縁性を有する材料により構成される。各壁部１１、１２、１３の一端側の端縁は、互いに一致して中央一致辺を構成し、複数の壁部の他端側は、それぞれ中央一致辺から放射状に延びる。壁部１１、１２、１３は、複数の撚り線２１、２２、２３により構成され電柱から家屋へ電気を供給するための引込線２の、撚り線２１、２２、２３が切断され再び接続された箇所の間に配置される。
【選択図】図２【図１】
0005547314.tif 000002
【図２】
0005547314.tif 000003
【図３】
0005547314.tif 000004
【図４】
0005547314.tif 000005